(57)【要約】      （修正有）【課題】電池を使わずに外耳道を照らし、室内の比較的暗い部屋でも空いての外耳道内を明るく照らし相手の耳垢を安全確実に掻き出す耳かきを提供する。【解決手段】透明部材に集光性蛍光染料により着色してなる略ロート状や小葉、花びらの形状の導光部と棒状の収集光部２２からなる集光部材２ａとし、導光部の光を蛍光にして導くと共に、解放部の光をも導き反射と全反射を利用して、収集光部の端面から収集した光を放出する集光器を設け、耳かき先端部に導光する。【選択図】図４
0003173522.tif 000002
【実用新案登録請求の範囲】
【請求項１】
外耳道の耳垢を掻く耳かき具において、
屈折率が空気より大きい透明部材に集光性蛍光染料により着色した略ロート状の形状の集光片を集光部としたものと集光部の集光端の光を導く棒状の収集光部からなるものを集光部材とし、該集光部材は、集光部にあたる光を蛍光に変換し、集光片の壁面で蛍光を反射と全反射を利用して収集光部に光を導き収集し、収集光部の収集した光を耳かき先端部に導光すること
を特徴とする耳かき具。
【請求項２】
請求項１に記載の耳かき具において、
該集光部材は、集光片の開放部方向からの入射光を収集片の壁面で反射と全反射を利用して収集光部に光を導き収集し、収集光部の収集した光を耳かき先端部に導光すること
を特徴とする耳かき具。
【請求項３】
請求項１から２の何れかに記載の耳かき具であって、
前記集光片の形状を略ロート状の形状の一部からなる形状としたこと、
を特徴とする耳かき具。
【請求項４】
請求項１から３の何れかに記載の耳かき具において、
該集光部は、集光片を複数重ねたこと
を特徴とする耳かき具。
【請求項５】
請求項４に記載の耳かき具において、
複数の集光片の一部に集光性蛍光染料により着色しない集光片を用いたこと
を特徴とする耳かき具。
【請求項６】
請求項１から５の何れかに記載の耳かき具において、
集光部からの光が収集光部に収集される臨界角未満の光を収集光部に導くために、収集光部に臨界角未満の角度を臨界角以上に反射角度を補正する膨らみ部を設け反射補正部としたこと
を特徴とする耳かき具。
【考案の詳細な説明】
【技術分野】
【０００１】
本考案は、外耳道を照らし外耳道の耳垢を掻き出す耳かき具に関する。
【背景技術】
【０００２】
現在、多くの機能性の備わった耳かき具などがあり、その中に、相手の外耳道内の耳垢を見ながら耳かきするものとして、ＬＥＤなどを使用したものや、一方で環境に配慮し電池を使用しないで照らし出す耳かき具がある。電池を使用しないで照らし出す耳かき具には周りの光を集める集光式の耳かき具や、発光を利用した耳かき具がある。
【０００３】
特許文献１には、受光面を形成する集光部の受光面の面積が最小径部分の断面積の２倍以上とした集光方式の耳掻きが提示されているが、室内での光として天井などの照明から取り入れて利用するには受光面を大きくし集光量を増やす必要性がある。また、集光部が大きくなると重くなり扱いにくくなる。
【０００４】
また、特許文献２には、柄部に発光部材を設けた耳掻きが提示されているが、室内などの光の元で使用する際には発光量を増やすために、一定時間一度強い光に照らす行為が求められた。
【先行技術文献】
【特許文献】
【０００５】
【特許文献１】登録実用新案第３１７０５９７号公報
【特許文献２】登録実用新案第３１７０５９８号公報
【考案の概要】
【考案が解決しようとする課題】
【０００６】
そこで本考案は、電池を使わずに外耳道を照らすとともに、室内などの比較的暗い部屋でも明るさを確保し相手の耳垢を安全確実に掻き出す耳かきを提供することを目的とする。
【課題を解決するための手段】
【０００７】
上記課題を解決するために、本考案の一態様に係る耳かきは、透明部材に集光性蛍光染料により着色してなる略ロート（開いた茸の笠）状や略ロート状の一部形状の小葉、花びらの形状や逆三角形などの集光部と集光部の集光端の光を導く棒状の収集光部からなる集光部材とし、集光部からの光を蛍光にして導くと共に、解放部方向からの光をも導き主に全反射を利用して、収集光部の端面から収集した光を誘導し、耳かき先端部に導光放出する。強いては耳かき時に外耳道を照らし安全確実に耳かき行為を行うことができる。
【考案の効果】
【０００８】
本考案によれば、電池がいらずに、室内の比較的暗い部屋でも、子供など相手の耳掻きが安心して確実にできる。これにより耳かきの機会が増え親子のスキンシップなどの回数が増え親密度が増し愛情が豊かになる。さらに、例えば水泳時に耳垢が残っていることで発生しやすくなる外耳炎などを軽減することができると考えられる。
【図面の簡単な説明】
【０００９】
【図１】本考案の第一の実施形態に係る耳かき具の一部断面とした平面図である。
【図２】本考案の第一の実施形態に係る耳かき具の集光部材の断面図である。
【図３】本考案の第一の実施形態に係る耳かき具の集光部材の断面図である。
【図４】本考案の第二の実施形態に係る耳かき具の平面図である。
【図５】本考案の第二の実施形態に係る耳かき具の集光部材の断面図である。
【図６】本考案の第二の実施形態に係る耳かき具の集光部材の断面図である。
【図７】本考案の第三の実施形態に係る耳かき具の収集光部の斜視図である。
【図８】本考案の第二の実施形態に係る耳かき具の変形例１の収集光部の斜視図である。
【考案を実施するための形態】
【００１０】
本考案の実施の形態について、以下、図に基づいて説明する。
＜第一の実施形態＞
図１は、本考案の第一の実施形態に係る耳かき具の一部断面とした平面図である。
【００１１】
図１に示すように、耳かき具１は集光部材２と耳かき部３と柄部４で構成され、集光部材２は集光部２１と収集光部２２、反射補正部２３で構成されている。また、柄部４は、誘導部２４を筒状体４２が覆う。集光部材２は屈折率が高く、透過率が高いプラスチック（例えばアクリル樹脂）で構成され、内部に集光性蛍光染料５を添加着色したものである。集光部２１の集光片２ａａに上部からの入射光ａ，ｂ，ｃを取り込み、集光性蛍光染料５は、入射した光により蛍光に変換され蛍光を発する。蛍光は周囲に発し、集光部２１の壁面に当たる。一部の蛍光は集光部の壁面を全反射しながら周囲の壁を伝う。一方で、下方（斜め下方も含む）に向いた蛍光の光はロート状の収集光部２２方向に徐々に狭められ導かれ光が収集される。入射光ａ、ｂ、ｃは必ずしも全てが蛍光に変化するわけではなく、一部は通過光として外部に放出される。
【００１２】
従来から、集光性蛍光染料が含有された透光性を有する蛍光プレートがあり、この種の蛍光プレートは、自然光又は人工光の直射光及び拡散光をプレート表面で集光し、それを蛍光に変え、その蛍光は長波長で再放出され、プレート内でその多くが全反射の法則に従ってプレート内部を進行しプレート側面へ誘導され、そこで濃密化され放出されるという特性を有する。
具体的には、Ｌｕｍｏｇｅｎ（登録商標）Ｆなどがある。
【００１３】
収集光部２２方向に集められた光は誘導部２４の棒状体の壁により全反射を繰り返し耳かき部３の先端部に到達する。耳かき部３の先端部付近に集約された光は、耳かき部３先端部付近から多くが外部に飛び出す。これにより、外耳道で耳かきをしている際に、外耳道内の壁に光が当たり周りを明るく照らすこととなる。
【００１４】
集光部材２の材料は透明度の高いシリコンゴムや、ポリカボネート、ポリプロピレンなどやガラスでも良く、集光性蛍光染料を添加着色するばかりでなく、塗布しても良いものである。より高屈折率な材料を使用するほど内部での全反射を高め光の誘導率も高めると共に、通過光の利用も高まる。柄部４は、使用時に指で持つ部分を示し、収集光部２２の延長部である誘導部２４の壁面の全反射する光を外部に漏れない様に保護するために、指で持つ部分を筒状体４２（断面図）で覆ったものを示す。収集光部２２の延長部の筒状体４２は一部で接触はあるものの全体的には隙間をもたせた状態を保つ浮き部４１を設けたものである。また、密着させた場合は、筒状体の内面を鍍金などにより鏡面に加工することにより、収集光部の延長部の誘導部２４の全反射を阻害しない。集光部材２と誘導部２４、耳かき部３は一体型で形成し、筒状体を使用せずに直接持つものとしても良い。また、これらの素材よりも屈折率の低い素材のチューブやコーティングで覆っても良い。
【００１５】
さらに、耳かき具１の横方向から入射する入射光ｘは、誘導部２４の集光性蛍光染料５ａに当たり蛍光ｘｘを放出する。蛍光ｘｘは誘導部２４の壁面に対し臨界角より大きいものは誘導部２４をたどることになる。
集光部材２は、集光性や利便性を向上させるために高硬度の高透過性の樹脂を使用する。一方で、耳かき部は柔軟性のある樹脂を使用することにより耳かき時の痛みを解消を図ることも必要である。また、誘導部２４は、導光性を高めるため、集光性蛍光染料を含有しないなどが考えられる。その為それぞれの部材を別々に形成し、溶着、接合により組立ることも有効である。
また、一般に相手の耳の耳かき行為は室内で行われることが多く、室内での明かりは一般に天井付近に取り付けられた照明が主となる。さらに、相手の人に対して外耳道を上方からのぞき込む様に耳かき具を使用するのが一般的である。このようなことから、光源は主に耳かき上部方向からの光を利用することとなる。本耳かき具は、このような使い方に適応し集光部が上方向からの光を有効に耳かき部の先端に導くものである。
【００１６】
図２は、本考案の第一の実施形態に係る耳かき具の集光部材の断面図である。図２は、入射光が集光性蛍光染料５に当たり蛍光を発生させ、発生した蛍光の一部が反射されて収集光部２２方向に向かう流れを説明したものである。それぞれ入射光ａ，ｂ，ｃは集光性蛍光染料５により、蛍光を発し、蛍光は集光部２１の壁を伝い、発生蛍光ａａ，ｂｂ，ｃｃとして収集光部２２と導かれる光の一部の例を示したものである。ここで示す様に集光部２１の面積は収集光部２２の断面より広いため、多くの蛍光が収集光部２２方向に集まり、光密度が高まる。
【００１７】
図３は、集光部２１から集まる蛍光が収集光部２２方向に向かう際、集光部が湾曲しているために集光部から収集光部２２の近くで反射した光は収集光部２２の円柱状の壁に対し入射角が臨界角より小さくなり壁に全反射しない光が発生する。これを解消して、臨界角より大きくなる角度を得るために、収集光部２２付近に反射角を補正する膨らみを持った反射補正部２３を形成したものを示す。入射角ｂ、ｃ、ｄで発生した蛍光の光は集光部の壁に反射し、収集光部付近で臨界角より少なく、本来収集光部２２の壁から外に飛び出してしまう光路が、反射補正部２３の膨らみにより、臨界角より大きく保たれることにより発生蛍光ｂｂ、ｃｃ、ｄｄは収集光部２２の内部を下方に導かれることを示す。以下、前記と同じ説明は省略する。
集光片２ａａは集光片２ａａにあたる光を利用するため受光面が大きいほど大きな集光量が得られる。一方受光面を大きくすると、集光部の高さも増す。このため、集光部の略ロート状の外径部（開いた茸の笠に似ているので以下笠と称す）を横に広げることになる。笠を横に広げると、集光部の笠の側面のラインの曲線部の半径（以降側面ラインと称す）が小さくなる。側面ライン半径が小さくなると、光を導く際に全反射が起こりにくくなる。このとき、全反射を有効にするには笠の厚みを薄くすることにより解決できる。一方で笠の厚みを薄くすると集光性蛍光染料にあたる光の量が限られてくる。笠部の開きや、笠部の厚み、集光性蛍光染料のの量の適切なバランスが必要である。また、これらのことから小型軽量で集光効率を上げるために次に示す集光片を複数にする事や、集光部の開口部方向からの直接光との併用が有効である。
＜第二の実施形態＞
【００１８】
図４は、本考案の第二の実施形態に係る耳かき具の平面図である。図４は、図１と異なる点は、入射光が集光性蛍光染料５により蛍光を発するばかりでなく、開放部４５方向からの入射光自身も集光部に導く点と集光部の集光片を複数使用している点で異なる。集光部の開口部４５は厚めにし開口部４５方向からの直接光を多く取り入れる形状としている。また、開口部４５上部方向からの入射光ａは集光部２１を介し収集光部２２に収集され、耳かき部３の先端から誘導光ａａａと導かれる状態を示す。
【００１９】
図５は、本考案の第二の実施形態に係る耳かき具の集光部材の断面図である。図５は、集光部２ａを複数の集光片２ａａ、２ａｂ、２ａｃで構成しようとするもので、各集光片をそれぞれ別に作成し各集光辺を溶着やはめ込みなどにより組立るものである。集光片２ａｃは略ロート状で内部が満たされた形状の部材を示す。組立の際に、集光片同士はは隙間を開け組み合わせお互いの空気の層との間で臨界角を生み全反射を起こす構造とする。
【００２０】
図６は、本考案の第二の実施形態に係る耳かき具の集光部材の断面図である。図６は、図５の各集光片を溶着し集光部材２ａとした状態を示し、各方向からの入射光ｅ、ｆ、ｇは集光部材２ａの各開口部から入射して一点鎖線の様に誘導光ｅｅ、ｆｆ、ｇｇが全反射により収集光部２２に導かれる直接光の状態を示す。図示しないが、さらに、直接光が集光性蛍光染料により蛍光を発することもある。また、本来、開口部からの入射光ｈの様に集光部の内壁で臨界角より少ない角度の光は集光部外に透過し出ていってしまうが、ここでは、集光性蛍光染料５ｂ、５ｃ、５ｄにより蛍光に変換される。そして蛍光の一部は集光部の璧により全反射され、収集光部２２に集光される。これにより、直接光と通過光による発生した蛍光の合成光が収集光部２２に集まることになり、明るさを増すと共に、直接光と並行の幅の広い波長の光の合成により、より外耳道内を識別しやすい光が得られる。
＜第三の実施形態＞
【００２１】
図７は、本考案の第三の実施形態に係る耳かき具の収集光部の斜視図である。図７（ａ）は、略ロート状のロート状体７に沿った集光部材２ｂの集光部２１の一部からなる形状例であり、小葉状の集光片２ａｄを示す。図７（ｂ）は逆三角形とした集光片２ａｃを示す。開口部にはミラミッド状の模様を設けたものを示す。このように集光片の形状は小葉や逆三角形や花びらような形状でも良く、開口部や集光片面も凸凹を設け、多方向の光を対象に集光しても良いものである。集光部は、集光部の上部が広く多くの光が当たることが望ましく、入射した光が横方向に回り込み横の開口部から外部に放出する量を抑えた形状が有効であり、略ロート状が効率的に集光できる。また、集光片は複数枚でも良い。開口部を広くすると直接光を多く取り入れることが出来る。開口部の厚みや、開口部付近の湾曲と大きさ、板厚、集光性蛍光染料の量などにより直接光と、透過光による発生する蛍光利用とのバランスを図った設計ができる。
＜第二の実施形態の変形例１＞
【００２２】
図８は、本考案の第二の実施形態に係る耳かき具の変形例１の収集光部の斜視図である。
各集光片は四角の開口形状の略ロート状とし、お互いを隙間を持たせ重ね合わせたものを示し、開口部を薄くした集光片２ｄａにのみ集光性蛍光染料を含有させ、集光片２ｄｂ、２ｄｃ、２ｄｄ、２ｄｅ、２ｄｆを透明素材で形成し、上部の各方向からの光を有効にこれらの集光片の開口部から直接光を導き、これらの集光片を透過し漏れた光を集光片２ｄａが集光性蛍光染料による蛍光発光により有効に光を収集するものを示す。また、収集光部２２、誘導部２４は筒状体４２により覆われており、筒状体４２は内面を鏡面仕上げにすることにより、内面で反射し収集光部２２付近での収集光を全て誘導部２４方向に導く。
【００２３】
上記耳かき具の耳かき先端の形状は、必ずしも前記で示した形状でなくとも良く、図示しないが、耳かき先端付近をワイヤ式としたり、円盤型としたりしても良く、耳かき先端付近で、例えば、収集光部の延長上に細かな複数の凸凹面（梨地などの表面）を設け、光を散乱させるなど、導かれた光を放出する部分があり、耳かき先端部付近や、外耳道内に光を拡散させる機構があれば良いものである。
【符号の説明】
【００２４】
１：耳かき具、２，２ａ，２ｂ：集光部材、２１：集光部,２２：収集光部、２３：反射補正部、２４：誘導部、２ａａ，２ａｂ，２ａｃ、２ａｄ、２ａｅ、２ｄａ，２ｄｂ，２ｄｃ，２ｄｅ，２ｄｆ：集光辺、３：耳かき部、４：柄部、４１：浮き部、４２：筒状体、４５：開口部、５ａ,５ｂ，５ｃ,５ｄ：集光性蛍光染料、７：ロート状体、ａ，ｂ，ｃ，ｄ，ｅ，ｆ，ｇ：入射光、ａａ，ｂｂ，ｃｃ，ｄｄ，ｈ１，ｈ２，ｈ３：発生蛍光、ａａａ,ｅｅ，ｆｆ、ｇｇ：誘導光、ｘ：通過光、ｘｘ：発生蛍光
【図１】
0003173522.tif 000003
【図２】
0003173522.tif 000004
【図３】
0003173522.tif 000005
【図４】
0003173522.tif 000006
【図５】
0003173522.tif 000007
【図６】
0003173522.tif 000008
【図７】
0003173522.tif 000009
【図８】
0003173522.tif 000010